(57)【要約】【課題】タブ紙に見出しレベルが設定されている複数の印刷データを結合する際に、ユーザが文書の構成を考慮してタブ紙に関する設定を再度行う作業を省略することができるデータ処理装置、データ処理プログラム、データ処理方法、および画像形成装置を提供する。【解決手段】本発明のデータ処理装置は、印刷対象となる文書の画像を形成するためのデータを含む複数の印刷データを記憶する記憶部と、タブ紙により区切られる文書の項目の見出しレベルを示す見出しレベル情報を含むタブ紙に関する設定情報が複数の印刷データのそれぞれに含まれる場合、複数の印刷データに含まれる見出しレベル情報の整合性をとるための整合処理を行うとともに、複数の印刷データを結合する制御部と、を有する。【選択図】図６
2011150534.tif 000002
【特許請求の範囲】
【請求項１】
印刷対象となる文書の画像を形成するためのデータを含む複数の印刷データを記憶する記憶部と、
タブ紙により区切られる文書の項目の見出しレベルを示す見出しレベル情報を含むタブ紙に関する設定情報が前記複数の印刷データのそれぞれに含まれる場合、前記複数の印刷データに含まれる前記見出しレベル情報の整合性をとるための整合処理を行うとともに、前記複数の印刷データを結合する制御部と、
を有することを特徴とするデータ処理装置。
【請求項２】
前記記憶部に記憶されている複数の印刷データの中から、第１印刷データと、当該第１印刷データに結合される第２印刷データのユーザによる選択を受け付けるデータ受付部をさらに有し、
前記制御部は、前記第１印刷データに含まれる見出しレベル情報を基準として、前記第１印刷データに含まれる見出しレベル情報と前記第２印刷データに含まれる見出しレベル情報との整合性をとるための整合処理を行うとともに、前記第１印刷データと前記第２印刷データとを結合することを特徴とする請求項１に記載のデータ処理装置。
【請求項３】
前記第２印刷データに含まれる最上位の見出しレベル情報を認識する認識部と、
前記認識部により認識される前記最上位の見出しレベル情報が、前記第１印刷データに含まれる所定の見出しレベル情報と同一レベルであるか否かを判断する判断部と、をさらに有し、
前記判断部により前記最上位の見出しレベル情報が前記所定の見出しレベル情報と同一レベルでないと判断される場合、前記制御部は、前記最上位の見出しレベル情報を前記所定の見出しレベル情報と同一レベルの見出しレベル情報に変更することを特徴とする請求項２に記載の画像データ処理装置。
【請求項４】
前記制御部は、前記最上位の見出しレベル情報を前記所定の見出しレベル情報と同一レベルの見出しレベル情報に変更するとともに、前記最上位の見出しレベル情報とのレベルの差が一定に維持されるように、前記第２印刷データに含まれる残りの見出しレベル情報を変更することを特徴とする請求項３に記載のデータ処理装置。
【請求項５】
前記第１印刷データにおける前記第２印刷データの結合位置のユーザによる指定を受け付ける結合位置受付部をさらに有し、
前記制御部は、前記タブ紙に関する設定情報に基づき特定される前記第１印刷データのページの区切り位置のうち、前記第２印刷データに含まれる最上位の見出しレベル情報と同一レベルまたは上位レベルの見出しレベル情報を含む前記タブ紙に関する設定情報に基づき特定される区切り位置であって、前記結合位置よりも最終ページ側に位置する最初の区切り位置に、前記結合位置を移動させることを特徴とする請求項２〜４のいずれか１項に記載のデータ処理装置。
【請求項６】
前記文書の画像を形成するためのデータに基づき形成される画像および前記タブ紙に関する設定情報に基づき形成される画像を縮小し、サムネイル画像として表示部に表示させる表示制御部をさらに有し、
前記結合位置受付部は、前記表示部に表示される前記サムネイル画像に対するユーザ操作により、前記結合位置の指定を受け付けることを特徴とする請求項５に記載のデータ処理装置。
【請求項７】
前記制御部は、前記第１印刷データの最終ページに続くように前記第２印刷データの先頭ページを結合することを特徴とする請求項２〜４のいずれか１項に記載のデータ処理装置。
【請求項８】
前記タブ紙に関する設定情報は、タブ紙におけるタブの位置を示すタブ位置情報をさらに含み、
前記制御部は、タブ紙のタブ位置が連続的に変化するように、同一レベルの見出しレベル情報を含む前記タブ紙に関する設定情報毎に、前記タブ位置情報を変更することを特徴とする請求項１〜７のいずれか１項に記載のデータ処理装置。
【請求項９】
前記見出しレベルは、章、節、および項のいずれか１つを含むことを特徴とする請求項１〜８のいずれか１項に記載のデータ処理装置。
【請求項１０】
印刷対象となる文書の画像を形成するためのデータを含む複数の印刷データを記憶部に記憶させる手順（ａ）と、
タブ紙により区切られる文書の項目の見出しレベルを示す見出しレベル情報を含むタブ紙に関する設定情報が前記複数の印刷データのそれぞれに含まれる場合、前記複数の印刷データに含まれる前記見出しレベル情報の整合性をとるための整合処理を行うとともに、前記複数の印刷データを結合する手順（ｂ）と、
をコンピュータに実行させることを特徴とするデータ処理プログラム。
【請求項１１】
請求項１０に記載のデータ処理プログラムを記録したコンピュータ読み取り可能な記録媒体。
【請求項１２】
印刷対象となる文書の画像を形成するためのデータを含む複数の印刷データを記憶部に記憶させるステップ（ａ）と、
タブ紙により区切られる文書の項目の見出しレベルを示す見出しレベル情報を含むタブ紙に関する設定情報が前記複数の印刷データのそれぞれに含まれる場合、前記複数の印刷データに含まれる前記見出しレベル情報の整合性をとるための整合処理を行うとともに、前記複数の印刷データを結合するステップ（ｂ）と、
を有することを特徴とするデータ処理方法。
【請求項１３】
印刷対象となる文書の画像を形成するためのデータを含む複数の印刷データを記憶する記憶部と、
タブ紙により区切られる文書の項目の見出しレベルを示す見出しレベル情報を含むタブ紙に関する設定情報が前記複数の印刷データのそれぞれに含まれる場合、前記複数の印刷データに含まれる前記見出しレベル情報の整合性をとるための整合処理を行うとともに、前記複数の印刷データを結合する制御部と、
前記制御部により結合された印刷データに基づく画像を印刷出力する印刷部と、
を有することを特徴とする画像形成装置。
【発明の詳細な説明】
【技術分野】
【０００１】
本発明は、複数の印刷データを結合するために使用されるデータ処理装置、データ処理プログラム、データ処理方法、および画像形成装置に関する。
【背景技術】
【０００２】
近年、多くの画像形成装置は、矩形状の本体と当該本体の一辺の所定位置に設けられたタブとを備えたタブ紙を、挿入紙としてページ間に挿入しつつ、印刷物を作成する機能を備えている。
【０００３】
これに関連する技術として、印刷対象となる文書に挿入されるタブ紙に関するユーザの設定作業を省略する見地から、下記の特許文献１に示すようなデータ処理装置が提案されている。特許文献１に開示されているデータ処理装置は、タブ紙の挿入が指定されている２つの印刷データを結合する際に、２つの印刷データを結合して得られる１つの文書に挿入されるタブ紙の種類を統一するとともに、タブ紙のタブ位置が連続的に変化するようにタブ位置を変更するものである。このような構成によれば、２つの印刷データの結合を指示する際に、ユーザが、２つの印刷データを結合して得られる１つの文書のタブ数を考慮して、タブ紙の種類およびタブ位置を設定し直す作業が省略される。
【０００４】
ところで、文書は、「章」、「節」、および「項」等の項目から構成される場合がある。これらの項目を区別するために、タブ紙には見出しレベルが設定され、見出しレベルに応じて異なる種類のタブ紙が使用される。しかしながら、上記のデータ処理装置では、タブ紙に見出しレベルが設定されている印刷データを結合する場合、２つの印刷データを結合して得られる１つの文書に挿入されるタブ紙の並びと、各タブ紙に設定されている見出しレベルとの間に矛盾が生じてしまう場合がある。このため、タブ紙に見出しレベルが設定されている複数の印刷データを結合する場合、ユーザは、２つの印刷データを結合して得られる１つの文書の構成を考慮して、タブ紙に関する設定を再度行う必要がある。
【先行技術文献】
【特許文献】
【０００５】
【特許文献１】特開２００９−１２３０３１号公報
【発明の概要】
【発明が解決しようとする課題】
【０００６】
本発明は、上述した課題に鑑みてなされたものである。したがって、本発明の目的は、タブ紙に見出しレベルが設定されている複数の印刷データを結合する際に、ユーザが文書の構成を考慮してタブ紙に関する設定を再度行う作業を省略することができるデータ処理装置、データ処理プログラム、データ処理方法、および画像形成装置を提供することである。
【課題を解決するための手段】
【０００７】
本発明の上記目的は、下記の手段によって達成される。
【０００８】
（１）印刷対象となる文書の画像を形成するためのデータを含む複数の印刷データを記憶する記憶部と、タブ紙により区切られる文書の項目の見出しレベルを示す見出しレベル情報を含むタブ紙に関する設定情報が前記複数の印刷データのそれぞれに含まれる場合、前記複数の印刷データに含まれる前記見出しレベル情報の整合性をとるための整合処理を行うとともに、前記複数の印刷データを結合する制御部と、を有することを特徴とするデータ処理装置。
【０００９】
（２）前記記憶部に記憶されている複数の印刷データの中から、第１印刷データと、当該第１印刷データに結合される第２印刷データのユーザによる選択を受け付けるデータ受付部をさらに有し、前記制御部は、前記第１印刷データに含まれる見出しレベル情報を基準として、前記第１印刷データに含まれる見出しレベル情報と前記第２印刷データに含まれる見出しレベル情報との整合性をとるための整合処理を行うとともに、前記第１印刷データと前記第２印刷データとを結合することを特徴とする上記（１）に記載のデータ処理装置。
【００１０】
（３）前記第２印刷データに含まれる最上位の見出しレベル情報を認識する認識部と、前記認識部により認識される前記最上位の見出しレベル情報が、前記第１印刷データに含まれる所定の見出しレベル情報と同一レベルであるか否かを判断する判断部と、をさらに有し、前記判断部により前記最上位の見出しレベル情報が前記所定の見出しレベル情報と同一レベルでないと判断される場合、前記制御部は、前記最上位の見出しレベル情報を前記所定の見出しレベル情報と同一レベルの見出しレベル情報に変更することを特徴とする上記（２）に記載の画像データ処理装置。
【００１１】
（４）前記制御部は、前記最上位の見出しレベル情報を前記所定の見出しレベル情報と同一レベルの見出しレベル情報に変更するとともに、前記最上位の見出しレベル情報とのレベルの差が一定に維持されるように、前記第２印刷データに含まれる残りの見出しレベル情報を変更することを特徴とする上記（３）に記載のデータ処理装置。
【００１２】
（５）前記第１印刷データにおける前記第２印刷データの結合位置のユーザによる指定を受け付ける結合位置受付部をさらに有し、前記制御部は、前記タブ紙に関する設定情報に基づき特定される前記第１印刷データのページの区切り位置のうち、前記第２印刷データに含まれる最上位の見出しレベル情報と同一レベルまたは上位レベルの見出しレベル情報を含む前記タブ紙に関する設定情報に基づき特定される区切り位置であって、前記結合位置よりも最終ページ側に位置する最初の区切り位置に、前記結合位置を移動させることを特徴とする上記（２）〜（４）のいずれか１つに記載のデータ処理装置。
【００１３】
（６）前記文書の画像を形成するためのデータに基づき形成される画像および前記タブ紙に関する設定情報に基づき形成される画像を縮小し、サムネイル画像として表示部に表示させる表示制御部をさらに有し、前記結合位置受付部は、前記表示部に表示される前記サムネイル画像に対するユーザ操作により、前記結合位置の指定を受け付けることを特徴とする上記（５）に記載のデータ処理装置。
【００１４】
（７）前記制御部は、前記第１印刷データの最終ページに続くように前記第２印刷データの先頭ページを結合することを特徴とする上記（２）〜（４）のいずれか１つに記載のデータ処理装置。
【００１５】
（８）前記タブ紙に関する設定情報は、タブ紙におけるタブの位置を示すタブ位置情報をさらに含み、前記制御部は、タブ紙のタブ位置が連続的に変化するように、同一レベルの見出しレベル情報を含む前記タブ紙に関する設定情報毎に、前記タブ位置情報を変更することを特徴とする上記（１）〜（７）のいずれか１つに記載のデータ処理装置。
【００１６】
（９）前記見出しレベルは、章、節、および項のいずれか１つを含むことを特徴とする上記（１）〜（８）のいずれか１つに記載のデータ処理装置。
【００１７】
（１０）印刷対象となる文書の画像を形成するためのデータを含む複数の印刷データを記憶部に記憶させる手順（ａ）と、タブ紙により区切られる文書の項目の見出しレベルを示す見出しレベル情報を含むタブ紙に関する設定情報が前記複数の印刷データのそれぞれに含まれる場合、前記複数の印刷データに含まれる前記見出しレベル情報の整合性をとるための整合処理を行うとともに、前記複数の印刷データを結合する手順（ｂ）と、をコンピュータに実行させることを特徴とするデータ処理プログラム。
【００１８】
（１１）上記（１０）に記載のデータ処理プログラムを記録したコンピュータ読み取り可能な記録媒体。
【００１９】
（１２）印刷対象となる文書の画像を形成するためのデータを含む複数の印刷データを記憶部に記憶させるステップ（ａ）と、タブ紙により区切られる文書の項目の見出しレベルを示す見出しレベル情報を含むタブ紙に関する設定情報が前記複数の印刷データのそれぞれに含まれる場合、前記複数の印刷データに含まれる前記見出しレベル情報の整合性をとるための整合処理を行うとともに、前記複数の印刷データを結合するステップ（ｂ）と、を有することを特徴とするデータ処理方法。
【００２０】
（１３）印刷対象となる文書の画像を形成するためのデータを含む複数の印刷データを記憶する記憶部と、タブ紙により区切られる文書の項目の見出しレベルを示す見出しレベル情報を含むタブ紙に関する設定情報が前記複数の印刷データのそれぞれに含まれる場合、前記複数の印刷データに含まれる前記見出しレベル情報の整合性をとるための整合処理を行うとともに、前記複数の印刷データを結合する制御部と、前記制御部により結合された印刷データに基づく画像を印刷出力する印刷部と、を有することを特徴とする画像形成装置。
【発明の効果】
【００２１】
本発明によれば、タブ紙に見出しレベルが設定されている複数の印刷データが結合される場合、見出しレベル情報の整合性をとるための整合処理が行われるため、複数の印刷データを結合して得られる複数のページからなる一組の文書に挿入されるタブ紙の並びと、各タブ紙に設定されている見出しレベルとの間に矛盾が生じることが防止される。すなわち、タブ紙に見出しレベルが設定されている複数の印刷データを結合する際に、ユーザが文書の構成を考慮してタブ紙に関する設定を再度行う作業が省略される。
【図面の簡単な説明】
【００２２】
【図１】本発明の第１の実施形態にかかる印刷システムの全体構成を示すブロック図である。
【図２】図１に示されるＰＣの構成を示すブロック図である。
【図３】図１に示されるＭＦＰの構成を示すブロック図である。
【図４】タブ紙の一例を示す図である。
【図５】ページ情報の一例を示す図である。
【図６】図１に示されるＭＦＰにおいて実行されるデータ結合処理の手順を示すフローチャートである。
【図７】図６に示されるデータ結合処理により結合される２つの印刷データを説明するための図である。
【図８】図７に示される親ジョブと子ジョブとが最高レベル合わせ結合方法により結合された場合の結合結果を示す図である。
【図９】図７に示される親ジョブと子ジョブとが単純結合方法により結合された場合の結合結果を示す図である。
【図１０】ジョブ設定画面の一例を示す図である。
【図１１】本発明の第２の実施形態にかかるデータ結合処理の手順を示すフローチャートである。
【図１２】図１０に示される親ジョブと子ジョブとが結合された場合の結合結果を示す図である。
【図１３】図１０に示されるジョブ設定画面上に表示される親ジョブと子ジョブの他の例を示す図である。
【図１４】図１３に示される親ジョブと子ジョブとが見出しレベルを変更しつつ結合された場合の結合結果を示す図である。
【図１５】図１３に示される親ジョブと子ジョブとが見出しレベルを変更することなく結合された場合の結合結果を示す図である。
【図１６】図１に示される印刷システムの変形例を示すブロック図である。
【発明を実施するための形態】
【００２３】
以下、本発明の実施形態を、図面を参照して詳細に説明する。
【００２４】
（第１の実施形態）
図１は、本発明の第１の実施形態にかかる印刷システムの全体構成を示すブロック図である。
【００２５】
本実施形態にかかる印刷システムは、印刷に関する設定および指示を行うための印刷設定装置としてのＰＣ１と、ＰＣ１により設定された情報にしたがって印刷処理を行う画像形成装置としてのＭＦＰ２とを備え、これらはネットワーク３により相互に通信可能に接続されている。なお、ＰＣ１とＭＦＰ２とは、ネットワーク３を介することなく直接機器間で接続（ローカル接続）されてもよい。
【００２６】
図２は、図１に示されるＰＣの構成を示すブロック図である。ＰＣ１は、ＣＰＵ１１、ＲＯＭ１２、ＲＡＭ１３、ハードディスク１４、ディスプレイ１５、入力装置１６、および通信インタフェース１７を備えており、これらは信号をやり取りするためのバス１８を介して相互に接続されている。
【００２７】
ＣＰＵ１１は、プログラムにしたがって、上記各部の制御や各種の演算処理を行う。ＲＯＭ１２は、各種プログラムや各種データを格納する。ＲＡＭ１３は、ワークエリアとして一時的にプログラムやデータを記憶する。ハードディスク１４は、オペレーティングシステムを含む各種プログラムや各種データを格納する。
【００２８】
ハードディスク１４には、文書ファイルを作成するための文書作成アプリケーションと、文書ファイルをＭＦＰ２が解釈可能なページ記述言語（ＰＤＬ）で記述されたＰＤＬデータに変換するためのプリンタドライバとがインストールされている。
【００２９】
ディスプレイ１５は、ＬＣＤ、ＣＲＴディスプレイ等であり、各種の情報の表示に使用される。入力装置１６は、マウス等のポインティングデバイスやキーボードを含み、各種情報の入力に使用される。
【００３０】
通信インタフェース１７は、ネットワーク３を介して他の機器と通信するためのインタフェースであり、イーサネット（登録商標）、トークンリング、ＦＤＤＩ等の規格が用いられる。
【００３１】
図３は、図１に示されるＭＦＰ２の構成を示すブロック図である。ＭＦＰ２は、ＣＰＵ２１、ＲＯＭ２２、ＲＡＭ２３、ハードディスク２４、操作パネル２５、画像読取部２６、印刷部２７、および通信インタフェース２８を備えており、これらは信号をやり取りするためのバス２９を介して相互に接続されている。なお、ＭＦＰ２の上記各部のうち、ＰＣ１の上記各部と同様の機能を有する部分については、説明の重複を避けるためその説明を省略する。
【００３２】
ハードディスク２４には、ＰＣ１から受信したＰＤＬデータを翻訳してビットマップ形式の画像データを生成するためのプログラムと、印刷データ（「印刷ジョブ」とも称する）として保存されているビットマップ形式の画像データを編集または加工するためのプログラムとが格納されている。画像データは、印刷対象となる文書の本文ページの画像データと、タブ紙ページの画像データ（以下、「タブ紙画像データ」と称する）とを含む。また、印刷データには、画像データに関連付けられるページ情報と、ジョブ名称および印刷条件等の情報を含むジョブ情報とが含まれている。
【００３３】
操作パネル２５は、タッチパネル、テンキー、スタートボタン、およびストップボタン等の要素を備えており、各種情報の表示および各種指示の入力に使用される。
【００３４】
画像読取部２６は、原稿台の所定の読取位置にセットされた原稿またはＡＤＦ（Ａｕｔｏ  Ｄｏｃｕｍｅｎｔ  Ｆｅｅｄｅｒ；自動原稿搬送装置）により所定の読取位置に搬送された原稿に蛍光ランプ等の光源から光を当て、その反射光をＣＣＤイメージセンサやＣＭＯＳイメージセンサ等の受光素子で光電変換することで得られる電気信号から画像データを生成する。
【００３５】
印刷部２７は、帯電、露光、現像、転写および定着の各工程からなる電子写真方式により画像データに基づく画像を用紙等の記録媒体上に印刷する。ただし、本発明における印刷部２７の印刷方式はこれに限定されるものではなく、電子写真方式以外にも、インパクト方式、熱転写方式、インクジェット方式等によるものであってもよい。また、印刷部２７は、タブ紙を含む複数種類の記録媒体を給紙するための複数の給紙トレイを有する。
【００３６】
図４は、タブ紙の一例を示す図である。図４には、４枚１セットのタブ紙１００が示される。１セットのタブ紙１００を構成する４枚のタブ紙１０１〜１０４のそれぞれは、矩形状の本体１１１〜１１４と、本体１１１〜１１４の一辺の互いに異なる位置に設けられる突出したタブ１２１〜１２４とから構成される。
【００３７】
図４に示されるタブ紙の並び順は正順と呼ばれ、タブが本体の右側に位置されたときに上層のタブが下層のタブよりも図４の上側に位置するように並べられる。４タブのタブ紙の場合、タブ１２１〜１２４は、本体の一辺の上部から順に４段階にてそれぞれ下降した位置に設けられる。また、タブ紙には、「章」、「節」、および「項」等の文書の項目を区別するために見出しレベルが設定される。見出しレベルが設定される場合、見出しレベルに応じた異なる色のタブ紙、異なる形のタブ紙、または異なるタブ数のタブ紙が使用される。
【００３８】
図５は、印刷データに含まれるページ情報の一例を示す図である。上述したとおり、印刷データには、ページ単位の画像データと、各画像データに関連付けられるページ情報とが含まれている。
【００３９】
ページ情報には、画像データのページ番号を示すページ番号情報、画像データのページサイズを示すページサイズ情報、および出力用紙サイズを示す出力用紙サイズ情報が含まれる。また、画像データがタブ紙画像データである場合、ページ情報には、タブ紙に関する設定情報として、タブ紙の見出しレベルを示す見出しレベル情報と、タブ紙のタブ位置を示すタブ番号情報とが含まれる。つまり、タブ番号情報は、本発明のタブ位置情報に相当する。たとえば、文書の４ページ目に「第２章」のタブ紙が挿入される場合、図５（Ａ）に示されるとおり、ページ番号情報（ＰａｇｅＮｏ）：４、見出しレベル情報（ＴａｂＬｅｖｅｌ）：章、およびタブ番号情報（ＴａｂＮｏ）：２が設定される。また、図５（Ｂ）に示されるとおり、文書の１２ページ目に「第２節」のタブ紙が挿入される場合、ページ番号情報：１２、見出しレベル情報：節、およびタブ番号情報：２が設定される。
【００４０】
なお、ＰＣ１およびＭＦＰ２は、それぞれ上述した構成要素以外の構成要素を含んでいてもよく、あるいは、上述した構成要素のうちの一部が含まれていなくてもよい。
【００４１】
以上のとおり構成される本実施形態の印刷システムでは、ＭＦＰ２に記憶されている複数の印刷データのうち、ユーザにより選択される２つの印刷データが結合される。このとき、２つの印刷データを結合して得られる文書に挿入されるタブ紙の見出しレベルの整合性をとるための整合処理が行われる。以下、図６〜図９を参照して、本実施形態の印刷システムの動作について説明する。
【００４２】
図６は、本発明の第１の実施形態にかかるデータ結合処理の手順を示すフローチャートである。なお、図６のフローチャートにより示されるアルゴリズムは、ＭＦＰ２のハードディスク２４等の記憶部にプログラムとして記憶されており、ＣＰＵ２１によって実行される。
【００４３】
図６に示されるとおり、まず、親ジョブが決定される（ステップＳ１０１）。本実施形態では、結合先の印刷データとしての親ジョブが決定される。親ジョブは、ＭＦＰ２のハードディスク２４に記憶されている複数の印刷データの中から、ユーザが１つの印刷データを選択することにより決定される。親ジョブは、ＰＣ１のディスプレイ１５に表示されるジョブ設定画面（不図示）を介して、ＰＣ１のユーザにより選択される。
【００４４】
続いて、親ジョブの最高見出しレベルが検出される（ステップＳ１０２）。本実施形態では、まず、ステップＳ１０１に示す処理で決定された親ジョブのページ情報が解析されることにより、親ジョブに含まれるタブ紙画像データの見出しレベル情報が把握される。そして、親ジョブに含まれる複数のタブ紙画像データの見出しレベル情報のうち、最上位の見出しレベル情報が検出される。
【００４５】
図７（Ａ）は、親ジョブの一例を示す図である。親ジョブ２００は、見出しレベル情報として「章」が設定されている２つのタブ紙画像データ２１０，２２０と、見出しレベル情報として「節」が設定されている５つのタブ紙画像データ２１１〜２１３，２２１，２２２とを含む。なお、親ジョブ２００に基づき印刷される文書の「第１章」のタブ紙に対応するタブ紙画像データ２１０には、タブ番号情報として「１」が設定されており、「第２章」のタブ紙に対応するタブ紙画像データ２２０には、タブ番号情報として「２」が設定されている。また、「第１章」の「第１節」〜「第３節」のタブ紙に対応するタブ紙画像データ２１１〜２１３には、タブ番号情報として「１」〜「３」がそれぞれ設定されており、「第２章」の「第１節」および「第２節」のタブ紙に対応するタブ紙画像データ２２１，２２２には、タブ番号情報として「１」および「２」がそれぞれ設定されている。したがって、図７（Ａ）に示される親ジョブ２００については、ステップＳ１０２に示す処理では、最高見出しレベルとして「章」が検出される。
【００４６】
続いて、子ジョブが決定される（ステップＳ１０３）。本実施形態では、親ジョブに結合される印刷データとしての子ジョブが決定される。子ジョブは、ＭＦＰ２のハードディスク２４に記憶されている複数の印刷データの中から、ユーザが１つの印刷データを選択することにより決定される。子ジョブは、ＰＣ１のディスプレイ１５に表示されるジョブ設定画面を介して、ＰＣ１のユーザにより選択される。
【００４７】
続いて、子ジョブの最高見出しレベルが検出される（ステップＳ１０４）。本実施形態では、まず、ステップＳ１０３に示す処理で決定された子ジョブに含まれるページ情報が解析されることにより、子ジョブに含まれるタブ紙画像データの見出しレベル情報が把握される。そして、子ジョブに含まれる複数のタブ紙画像データの見出しレベル情報のうち、最上位の見出しレベル情報が検出される。
【００４８】
図７（Ｂ）は、子ジョブの一例を示す図である。子ジョブ３００は、見出しレベル情報として「節」が設定されている１つのタブ紙画像データ３１０と、見出しレベル情報として「項」が設定されている２つのタブ紙画像データ３１１，３１２とを含む。なお、子ジョブ３００に基づき印刷される文書の「第１節」のタブ紙に対応するタブ紙画像データ３１０には、タブ番号情報として「１」が設定されている。また、「第１節」の「第１項」および「第２項」のタブ紙に対応するタブ紙画像データ３１１，３１２には、タブ番号情報として「１」および「２」がそれぞれ設定されている。したがって、図７（Ｂ）に示される子ジョブ３００については、ステップＳ１０４に示す処理では、最高見出しレベルとして「節」が検出される。
【００４９】
続いて、ジョブの結合方法についての選択が受け付けられる（ステップＳ１０５）。本実施形態では、最高レベル合わせ結合方法および単純結合方法の２つの結合方法の中から、ユーザによる一の結合方法についての選択が受け付けられる。
【００５０】
続いて、最高レベル合わせ結合方法を行うか否かが判断される（ステップＳ１０６）。本実施形態では、ステップＳ１０５に示す処理で選択が受け付けられた結合方法が、最高レベル合わせ結合方法であるか、あるいは、単純結合方法であるかが判断される。
【００５１】
最高レベル合わせ結合方法を行わないと判断される場合（ステップＳ１０６：ＮＯ）、ステップＳ１１１以下の処理に進む。一方、最高レベル合わせ結合方法を行うと判断される場合（ステップＳ１０６：ＹＥＳ）、親ジョブの最高見出しレベルと子ジョブの最高見出しレベルとが同一レベルであるか否かが判断される（ステップＳ１０７）。本実施形態では、ステップＳ１０２に示す処理で検出された親ジョブの最高見出しレベルと、ステップＳ１０４に示す処理で検出された子ジョブの最高見出しレベルとが同一レベルであるか否かが判断される。具体的には、親ジョブに含まれる最上位の見出しレベル情報と子ジョブに含まれる最上位の見出しレベル情報とが同一レベルの見出しレベル情報であるか否かが判断される。
【００５２】
親ジョブの最高見出しレベルと子ジョブの最高見出しレベルとが同一レベルであると判断される場合（ステップＳ１０７：ＹＥＳ）、ステップＳ１１１以下の処理に進む。一方、親ジョブの最高見出しレベルと子ジョブの最高見出しレベルとが同一レベルでないと判断される場合（ステップＳ１０７：ＮＯ）、子ジョブの最高見出しレベルが親ジョブの最高見出しレベルと同一レベルの見出しレベルに変更される（ステップＳ１０８）。具体的には、ステップＳ１０４に示す処理で検出された子ジョブの最高見出しレベルが、ステップＳ１０２に示す処理で検出された親ジョブの最高見出しレベルと同一レベルになるように、子ジョブに含まれる最上位の見出しレベル情報が変更される。これとともに、見出しレベルが変更されたタブ紙のタブ位置が、親ジョブの同一レベルのタブ紙のタブ位置と連続するように、子ジョブにおいて最上位の見出しレベル情報が設定されているタブ紙画像データのタブ番号情報が変更される。
【００５３】
たとえば、図７では、子ジョブ３００に含まれるタブ紙画像データ３１０の見出しレベル情報が「節」から「章」に変更される。これとともに、タブ紙画像データのタブ番号情報が「１」から「３」に変更される。
【００５４】
続いて、最高見出しレベルのタブ紙を除く残りのタブ紙の見出しレベルが、最高見出しレベルとの関係にしたがって変更される（ステップＳ１０９）。具体的には、ステップＳ１０８に示す処理で見出しレベルが変更されたタブ紙を除く残りのタブ紙の見出しレベルが、ステップＳ１０８に示す処理で変更された最高見出しレベルとの関係を一定に維持するように、子ジョブに含まれる残りの見出しレベル情報が変更される。なお、子ジョブに残りの見出しレベル情報が含まれない場合には、ステップＳ１０９に示す処理は省略される。
【００５５】
たとえば、図７では、タブ紙画像データ３１０の見出しレベル情報が「節」から「章」に１レベル変更されたことに伴って、タブ紙画像データ３１１，３１２の見出しレベル情報が「項」から「節」に１レベル変更される。
【００５６】
そして、親ジョブと子ジョブとが結合され（ステップＳ１１０）、処理が終了される。具体的には、ステップＳ１０１に示す処理で決定された親ジョブと、ステップＳ１０８およびステップＳ１０９に示す処理で見出しレベルが変更された子ジョブとが結合される。本実施形態では、親ジョブの最終ページの画像データに子ジョブの先頭ページの画像データが続くように、親ジョブと子ジョブとが結合される。
【００５７】
図８は、図７に示される親ジョブと子ジョブとが最高レベル合わせ結合方法により結合された場合の結合結果を示す図である。上述したとおり、最高レベル合わせ結合方法では、親ジョブ２００の最終ページの画像データに子ジョブ３００の先頭ページの画像データ３１０が続くように、親ジョブ２００と子ジョブ３００とが結合される。具体的には、親ジョブ２００の最終ページの画像データのページ番号情報に、子ジョブの先頭ページの画像データ３１０のページ番号が続くように、子ジョブ３００に含まれる各画像データのページ番号情報が変更される。
【００５８】
このとき、子ジョブ３００に含まれるタブ紙画像データ３１０の見出しレベル情報が「節」から「章」に変更され、タブ番号情報が「１」から「３」に変更される。そして、子ジョブ３００に含まれるタブ紙画像データ３１１，３１２の見出しレベル情報が「項」から「節」に変更される。すなわち、子ジョブ３００に基づき印刷される文書の「第１節」のタブ紙が「第３章」に変更され、「第１項」および「第２項」のタブ紙が「第１節」および「第２節」のタブ紙にそれぞれ変更される。
【００５９】
一方、ステップＳ１０６に示す処理で最高レベル合わせ結合方法を行わないと判断される場合（ステップＳ１０６：ＮＯ）、あるいは、ステップＳ１０７に示す処理で親ジョブと子ジョブの最高見出しレベルが同一レベルであると判断される場合（ステップＳ１０７：ＹＥＳ）、子ジョブのタブ位置のみが変更される（ステップＳ１１１）。具体的には、子ジョブに含まれるタブ紙画像データの見出しレベル情報は変更されることなく、子ジョブの最高見出しレベルのタブ紙のタブ位置が親ジョブの同一レベルのタブ紙のタブ位置と連続するように、子ジョブに含まれる複数のタブ紙画像データのうち、最上位の見出しレベル情報が設定されているタブ紙画像データのタブ番号情報が変更される。
【００６０】
たとえば、図７では、子ジョブ３００に含まれるタブ紙画像データ３１０の見出しレベル情報が「節」に維持されたまま、タブ紙画像データ３１０のタブ番号情報が「１」から「３」に変更される。
【００６１】
そして、親ジョブと子ジョブとが結合され（ステップＳ１１２）、処理が終了される。具体的には、ステップＳ１０１に示す処理で決定された親ジョブと、ステップＳ１１１に示す処理でタブ位置のみが変更された子ジョブとが結合される。本実施形態では、親ジョブの最終ページの画像データに子ジョブの先頭ページの画像データが続くように、親ジョブと子ジョブとが結合される。
【００６２】
図９は、図７に示される親ジョブと子ジョブとが単純結合方法により結合された場合の結合結果を示す図である。上述したとおり、単純結合方法では、親ジョブ２００の最終ページの画像データに子ジョブ３００の先頭ページの画像データ３１０が続くように、親ジョブ２００と子ジョブ３００とが結合される。このとき、子ジョブ３００に含まれるタブ紙画像データ３１０の見出しレベル情報が「節」に維持されたまま、タブ番号情報が「１」から「３」に変更される。すなわち、子ジョブ３００に基づき印刷される文書の「第１節」のタブ紙が「第３節」のタブ紙に変更される。
【００６３】
以上のとおり、図６に示されるフローチャートの処理によれば、ユーザにより選択される２つの印刷データが、ユーザにより選択される結合方法にしたがって結合される。ユーザにより単純結合方法が選択される場合、子ジョブに基づき印刷される文書のタブ紙のタブ位置のみが変更される。一方、ユーザにより最高レベル合わせ結合方法が選択される場合、子ジョブに基づき印刷される文書のタブ紙の見出しレベルが親ジョブの見出しレベルに合わせて変更される。すなわち、複数の印刷データを結合して得られる１つの文書に挿入されるタブ紙の並びと、各タブ紙に設定されている見出しレベルとの間に矛盾が生じることが防止される。したがって、最高見出しレベルの異なる２つの印刷データを結合する場合であっても、ユーザが文書の構成を考慮してタブ紙に関する設定を再度行う作業が省略される。
【００６４】
（第２の実施形態）
次に、本発明の第２の実施形態について、第１の実施形態と相違する点を中心に、図１０〜図１５を参照して説明する。なお、第１の実施形態と共通する点については適宜説明を省略する。
【００６５】
図１０は、ジョブ設定画面の一例を示す図である。ジョブ設定画面４００は、親ジョブの画像データに基づく画像を縮小してサムネイル画像として表示する親ジョブ表示部４１０と、子ジョブの画像データに基づく画像を縮小してサムネイル画像として表示する子ジョブ表示部４２０とを有する。本実施形態では、ユーザのマウス操作（ドラッグアンドドロップ）により、ジョブ設定画面４００上で表示される親ジョブの途中ページへの子ジョブの挿入が指示される。
【００６６】
図１１は、本実施形態にかかる印刷結合処理の手順を示すフローチャートである。なお、図１１のフローチャートにより示されるアルゴリズムは、ＭＦＰ２のハードディスク２４等の記憶部にプログラムとして記憶されており、ＣＰＵ２１によって実行される。
【００６７】
図１１に示されるとおり、まず、子ジョブの挿入箇所の指定が受け付けられる（ステップＳ２０１）。本実施形態では、ユーザのマウス操作により、ジョブ設定画面４００上に表示される子ジョブが親ジョブ上に移動される。たとえば、図１０では、親ジョブに基づき印刷される文書の「第１章」の「第１節」の途中ページに対応するサムネイル画像上に子ジョブが移動される。
【００６８】
続いて、子ジョブの最高見出しレベルが検出される（ステップＳ２０２）。本実施形態では、ステップＳ２０１に示す処理で親ジョブ上に移動された子ジョブのページ情報が解析され、子ジョブに含まれるタブ紙画像データの見出しレベル情報のうち、最上位の見出しレベル情報が検出される。たとえば、図１０では、子ジョブの最高見出しレベルとして「節」が検出される。
【００６９】
続いて、挿入箇所における親ジョブの見出しレベルと子ジョブの最高見出しレベルとが同一レベルであるか否かが判断される（ステップＳ２０３）。本実施形態では、まず、ステップＳ２０１に示す処理で親ジョブ上に子ジョブが移動されることにより指定された子ジョブの挿入箇所における親ジョブの見出しレベルが検出される。そして、挿入箇所における親ジョブの見出しレベルと、ステップＳ２０２に示す処理で検出された子ジョブの最高見出しレベルとが同一レベルであるか否かが判断される。
【００７０】
たとえば、図１０では、まず、挿入箇所（図１０に示される矢印の先端部）の親ジョブの見出しレベルとして「節」が検出される。そして、挿入箇所の見出しレベル「節」が、子ジョブの最高見出しレベルと同一レベルであるか否かが判断される。
【００７１】
挿入箇所における親ジョブの見出しレベルと子ジョブの最高見出しレベルとが同一レベルでないと判断される場合（ステップＳ２０３：ＮＯ）、ステップＳ２０６以下の処理へ進む。一方、挿入箇所における親ジョブの見出しレベルと子ジョブの最高見出しレベルとが同一レベルであると判断される場合（ステップＳ２０３：ＹＥＳ）、子ジョブのタブ位置のみが変更される（ステップＳ２０４）。具体的には、子ジョブに含まれるタブ紙画像データの見出しレベル情報は変更されることなく、子ジョブの最高見出しレベルのタブ紙のタブ位置が親ジョブの同一レベルのタブ紙のタブ位置と連続するように、タブ紙画像データのタブ番号情報が変更される。
【００７２】
たとえば、図１０では、子ジョブに含まれるタブ紙画像データの最上位の見出しレベル情報が「節」に維持されたまま、タブ紙画像データのタブ番号情報が「１」から「２」に変更される。
【００７３】
そして、子ジョブの挿入箇所以降の親ジョブのタブ位置が変更され（ステップＳ２０５）、処理が終了される。本実施形態では、ステップＳ２０４に示す処理で変更された子ジョブのタブ番号情報と連続するように、子ジョブの挿入箇所以降に含まれる親ジョブのタブ紙画像データのうち、子ジョブの最上位の見出しレベル情報と同一レベルの見出しレベル情報が設定されているタブ紙画像データのタブ番号情報が変更される。
【００７４】
たとえば、図１０では、子ジョブの挿入箇所の次に位置する親ジョブのタブ紙画像データのタブ番号情報が「２」から「３」に変更される。
【００７５】
以上のとおり、ステップＳ２０１〜Ｓ２０５に示す処理によれば、親ジョブに対する子ジョブの挿入箇所の指定が受け付けられ、挿入箇所における親ジョブの見出しレベルと子ジョブの最高見出しレベルとが比較される。そして、挿入箇所における親ジョブの見出しレベルと子ジョブの最高見出しレベルとが同一レベルであると判断される場合、子ジョブと親ジョブのタブ位置が変更され、子ジョブと親ジョブとが結合される。なお、ユーザにより指定される子ジョブの挿入箇所が、タブ紙により区切られる文書の項目の途中ページである場合には、挿入箇所は、当該項目の最終ページに移動される。また、親ジョブおよび子ジョブに基づき印刷される文書の構成によっては、ステップＳ２０４，Ｓ２０５に示す処理は省略され得る。
【００７６】
図１２は、図１０に示される親ジョブと子ジョブとが結合された場合の結合結果を示す図である。上述したとおり、本実施形態では、ユーザにより指定された親ジョブの挿入箇所に子ジョブが挿入されるように、親ジョブと子ジョブとが結合される。
【００７７】
このとき、子ジョブに含まれるタブ紙画像データの見出しレベル情報が「節」に維持されたまま、タブ番号情報が「１」から「２」に変更される。また、子ジョブの挿入箇所に続く親ジョブのタブ紙画像データのタブ番号情報が「２」から「３」に変更される。すなわち、子ジョブに基づき印刷される文書の「第１節」のタブ紙が「第２節」のタブ紙に変更され、親ジョブに基づき印刷される文書の「第１章」の「第２節」のタブ紙が「第１章」の「第３節」のタブ紙に変更される。なお、親ジョブに基づき印刷される文書の「第２章」の「第１節」〜「第３節」のタブ紙は変更されない。
【００７８】
一方、ステップＳ２０３に示す処理において、挿入箇所における親ジョブの見出しレベルと子ジョブの最高見出しレベルとが同一レベルでないと判断される場合（ステップＳ２０３：ＮＯ）、結合方法の選択が受け付けられる（ステップＳ２０６）。本実施形態では、子ジョブの最高見出しレベルを保持するか否かについて、ユーザによる結合方法の選択が受け付けられる。
【００７９】
続いて、子ジョブの見出しレベルを保持するか否かが判断される（ステップＳ２０７）。本実施形態では、ステップＳ２０６に示す処理で、子ジョブの見出しレベルを保持しつつ親ジョブと子ジョブとを結合する結合方法が選択されたか否かが判断される。
【００８０】
子ジョブの見出しレベルを保持すると判断される場合（ステップＳ２０７：ＹＥＳ）、ステップＳ２０９以下の処理に進む。一方、子ジョブの見出しレベルを保持しないと判断される場合（ステップＳ２０７：ＮＯ）、子ジョブの見出しレベルが親ジョブの挿入箇所の見出しレベルに変更される（ステップＳ２０８）。具体的には、子ジョブの最高見出しレベルが、親ジョブの挿入箇所の見出しレベルと同一レベルになるように、子ジョブに含まれるタブ紙画像データの最上位の見出しレベル情報が変更される。なお、子ジョブに他の見出しレベル情報が含まれる場合には、最上位の見出しレベル情報との関係を一定に維持するように、他の見出しレベル情報も変更される。
【００８１】
図１３に示されるとおり、たとえば、最高見出しレベルが「章」の子ジョブが、親ジョブにおける「節」レベルの挿入箇所に挿入される場合には、子ジョブに含まれるタブ紙画像データの見出しレベル情報が「章」から「節」に変更される。
【００８２】
そして、子ジョブのタブ位置および親ジョブのタブ位置が変更され（ステップＳ２０４，Ｓ２０５）、処理が終了される。具体的には、ステップＳ２０８に示す処理で見出しレベル情報が変更されたタブ紙画像データのタブ番号情報が変更される。そして、子ジョブの挿入に伴って、子ジョブの挿入箇所以降に含まれる親ジョブのタブ紙画像データのうち、子ジョブの最上位の見出しレベル情報と同一レベルの見出しレベル情報が設定されているタブ紙画像データのタブ番号情報が変更される。
【００８３】
以上のとおり、ステップＳ２０６〜Ｓ２０８に示す処理によれば、まず、子ジョブの見出しレベルを保持するか否かについてのユーザによる選択が受け付けられる。そして、子ジョブの見出しレベルを保持しない旨の選択が受け付けられる場合、子ジョブの見出しレベルが変更される。その後、子ジョブと親ジョブのタブ位置が変更され、子ジョブと親ジョブとが結合される。なお、ユーザにより指定される子ジョブの挿入箇所が、タブ紙により区切られる文書の項目の途中ページである場合には、挿入箇所は、当該項目の最終ページに移動される。
【００８４】
図１４は、図１３に示される子ジョブの見出しレベルを変更しつつ結合された場合の結合結果を示す図である。上述したとおり、本実施形態では、ユーザにより指定された親ジョブの挿入箇所に子ジョブが挿入されるように、親ジョブと子ジョブとが結合される。
【００８５】
このとき、子ジョブに含まれるタブ紙画像データの見出しレベル情報が「章」から「節」に変更され、タブ番号情報が「１」から「３」に変更される。また、子ジョブの挿入箇所に続く親ジョブのタブ紙画像データのタブ番号情報が「３」から「４」に変更される。すなわち、子ジョブに基づき印刷される文書の「第１章」のタブ紙が「第３節」のタブ紙に変更され、親ジョブに基づき印刷される文書の「第２章」の「第３節」のタブ紙が「第２章」の「第４節」のタブ紙に変更される。
【００８６】
一方、ステップＳ２０７に示す処理において、子ジョブの最高見出しレベルを保持すると判断される場合（ステップＳ２０７：ＹＥＳ）、挿入箇所における親ジョブの見出しレベルが子ジョブの最高見出しレベルよりも上位レベルであるか否かが判断される（ステップＳ２０９）。
【００８７】
挿入箇所における親ジョブの見出しレベルが子ジョブの最高見出しレベルよりも上位レベルでないと判断される場合（ステップＳ２０９：ＮＯ）、子ジョブの最高見出しレベルと同一レベルの区切り位置に子ジョブが移動される（ステップＳ２１０）。具体的には、親ジョブに含まれるタブ紙画像データのうち、子ジョブに含まれる最上位の見出しレベル情報と同一レベルの見出しレベル情報が設定されているタブ紙画像データであって、挿入箇所よりも最終ページ側に位置する最初のタブ紙画像データの直前ページに子ジョブが挿入されるように、挿入箇所が移動される。なお、挿入箇所よりも最終ページ側に、該当するタブ紙画像データが存在しない場合には、親ジョブの最終ページの画像データに子ジョブの先頭ページの画像データが続くように挿入箇所が移動される。そして、子ジョブのタブ位置および親ジョブのタブ位置が変更され（ステップＳ２０４，Ｓ２０５）、処理が終了される。
【００８８】
図１５は、図１３に示される親ジョブと子ジョブとが見出しレベルを変更することなく結合された場合の結合結果を示す図である。上述したとおり、本実施形態では、ユーザにより指定された親ジョブの挿入箇所に子ジョブが挿入されるように、親ジョブと子ジョブとが結合される。
【００８９】
このとき、子ジョブに含まれるタブ紙画像データの見出しレベル情報が「章」に維持されたまま、子ジョブの挿入箇所は、親ジョブに基づき印刷される文書の「第２章」の「第２節」の途中ページでも最終ページでもなく、「第２章」の「第３節」の最終ページに続くように移動される。そして、子ジョブに含まれるタブ紙画像データのタブ番号情報が「１」から「３」に変更される。すなわち、親ジョブに基づき印刷される文書に新たに「第３章」が作成されるように、子ジョブに基づき印刷される文書の「第１章」のタブ紙が「第３章」のタブ紙に変更される。
【００９０】
一方、ステップＳ２０９に示す処理において、挿入箇所における親ジョブの見出しレベルが子ジョブの最高見出しレベルよりも上位レベルであると判断される場合（ステップＳ２０９：ＹＥＳ）、子ジョブのタブ位置および親ジョブのタブ位置が変更され（ステップＳ２０４，Ｓ２０５）、処理が終了される。なお、ユーザにより指定される子ジョブの挿入箇所が、タブ紙により区切られる文書の項目の途中ページである場合には、挿入箇所は、当該項目の最終ページに移動される。
【００９１】
以上のとおり、図１１に示されるフローチャートの処理によれば、親ジョブへの子ジョブの挿入が指示される場合、親ジョブの見出しレベル情報と子ジョブの見出しレベル情報とが整合性を有するように整合処理が行われる。具体的には、子ジョブの最上位の見出しレベル情報が、親ジョブの挿入箇所の見出しレベル情報と同一レベルの見出しレベル情報に変更される。あるいは、子ジョブの最上位の見出しレベル情報を維持しつつ、同一レベルまたは上位レベルの見出しレベル情報が設定されている親ジョブの区切り位置に挿入箇所が移動される。
【００９２】
そして、このような構成によれば、複数の印刷データを結合して得られる１つの文書に挿入されるタブ紙の並びと、各タブ紙に設定されている見出しレベルとの間に矛盾が生じることが防止される。したがって、２つの印刷データを結合する場合であっても、ユーザが文書の構成を考慮してタブ紙に関する設定を再度行う作業が省略される。
【００９３】
本発明は、上記した実施形態のみに限定されるものではなく、特許請求の範囲内において、種々改変することができる。
【００９４】
たとえば、上記実施形態では、親ジョブと子ジョブの２つの印刷データが結合された。しかしながら、３つ以上の印刷データが結合されてもよい。
【００９５】
また、上記実施形態では、ページ単位の画像データを含む印刷データ同士が結合された。しかしながら、結合が指示される印刷データは、ＰＤＬデータであってもよい。
【００９６】
また、上記実施形態では、印刷データには、印刷対象となる文書の本文ページの画像データと、タブ紙ページの画像データとが含まれた。しかしながら、印刷データには、タブ紙の画像データが含まれる必要はなく、画像データを伴わないタブ紙に関する設定情報が含まれてもよい。
【００９７】
また、上記実施形態では、ＰＣ１のディスプレイ１５に表示されるジョブ設定画面を介して、ユーザにより印刷データの結合が指示された。しかしながら、ＭＦＰ２の操作パネル２５を介して、ユーザにより印刷データの結合が指示されてもよい。
【００９８】
また、上記実施形態では、プリンタとプリンタコントローラとが一体的に構成されたＭＦＰにおいて印刷データが結合される場合について述べた。しかしながら、ＭＦＰを構成するプリンタとプリンタコントローラとは別個に設けられてもよい。この場合、図１６に示されるとおり、データ処理装置としてのプリンタコントローラ４とプリンタ５とは、ネットワーク３を介して接続され得る。
【００９９】
本実施形態にかかる印刷システムにおける各種処理を行う手段および方法は、専用のハードウエア回路、またはプログラムされたコンピュータのいずれによっても実現することが可能である。上記プログラムは、たとえば、フレキシブルディスクおよびＣＤ−ＲＯＭ等のコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に転送され記憶される。また、上記プログラムは、単独のアプリケーションソフトとして提供されてもよいし、印刷システムの一機能としてその装置のソフトウエアに組み込まれてもよい。
【符号の説明】
【０１００】
１  ＰＣ、
２  ＭＦＰ、
３  ネットワーク、
４  プリンタコントローラ、
５  プリンタ、
１１，２１  ＣＰＵ、
１２，２２  ＲＯＭ、
１３，２３  ＲＡＭ、
１４，２４  ハードディスク、
１５  ディスプレイ、
１６  入力装置、
１７，２８  通信インタフェース、
１８，２９  バス、
２５  操作パネル、
２６  画像読取部、
２７  印刷部、
１００  １セットのタブ紙、
２００  親ジョブ、
３００  子ジョブ、
４００  ジョブ設定画面。
【図１】
2011150534.tif 000003
【図２】
2011150534.tif 000004
【図３】
2011150534.tif 000005
【図４】
2011150534.tif 000006
【図５】
2011150534.tif 000007
【図６】
2011150534.tif 000008
【図７】
2011150534.tif 000009
【図８】
2011150534.tif 000010
【図９】
2011150534.tif 000011
【図１０】
2011150534.tif 000012
【図１１】
2011150534.tif 000013
【図１２】
2011150534.tif 000014
【図１３】
2011150534.tif 000015
【図１４】
2011150534.tif 000016
【図１５】
2011150534.tif 000017
【図１６】
2011150534.tif 000018